(57)【要約】【課題】台所や調理場の流し台、浴室、洗面所等の排水口から、残飯、食物片等の生ゴミや毛髪等が配水管に流れ込むのを防止すると共に、排水口付近や配管内のヌメリの除去や脱臭を行うことができる排水フィルターとして好適に使用しうるシートを提供することを目的とする。【解決手段】水に溶けて活性ハロゲンを放出しうる固形薬剤を二枚の不織布の間に挟持し、排水フィルター用シートとする。【選択図】　　　なし【特許請求の範囲】
【請求項１】
水に溶けて活性ハロゲンを放出しうる固形薬剤を二枚の不織布の間に挟持したことを特徴とする排水フィルター用シート。
【請求項２】
水に溶けて活性ハロゲンを放出しうる固形薬剤が、塩素化イソシアヌル酸化合物である請求項１記載の排水フィルター用シート。
【請求項３】
水に溶けて活性ハロゲンを放出しうる固形薬剤が、ハロゲン化ヒダントイン化合物である請求項１記載の排水フィルター用シート。
【請求項４】
水に溶けて活性ハロゲンを放出しうる固形薬剤が、シクロデキストリンに包接したヨウ素化合物である請求項１記載の排水フィルター用シート。
【発明の詳細な説明】
【０００１】
【発明の属する技術分野】
この発明は、台所や調理場の流し台、浴室、洗面所等の排水口から、残飯、食物片等の生ゴミや毛髪等を捕集して配水管に流れ込むのを防止すると共に、排水口付近や配管内のヌメリの除去や脱臭を行うことができる排水フィルター用シートに関するものである。
【０００２】
【従来の技術】
排水フィルターとして、流し台の三角コーナーや、排水口に設置されている円筒形状のカゴに装着する水切り用袋が広く使用されている。
このような使い捨て型の水切り用袋は、水分を含む生ゴミと共に廃棄されるので、安価であって排水の流れを妨げず、且つ生ゴミや毛髪を捕集する機能が求められており、ポリプロピレン、ポリエチレン、ポリエステル、ナイロン等の不織布、ネット、孔を有するフィルム等を袋状に加工したものが知られている。
【０００３】
例えば、特開平５−１３２１０３号、同１１−９１９０２号公報には、不織布に複数の孔を設け、製袋して水切り袋としたものが開示されているが、この種の排水フィルターはゴミや毛髪等を捕集することはできるものの、排水口付近や配管内に発生するヌメリの除去や脱臭を行うことはできなかった。
【０００４】
このような問題点を解決するために、抗菌性を有する不織布を用いた水切り袋が提案されている。特開平１０−２８６４１４号公報には、抗菌剤としてキトサンを不織布に付着させ、水切り袋としたものが提案されている。また、特開平１１−２９２２０２号公報には、ベンズイミダゾール化合物、メルカプトピリジン−Ｎ−オキシド化合物、イソチアゾロン化合物、ベンゾチアゾール化合物もしくはベンゾチアゾロン化合物の銀塩、銅塩、亜鉛塩等の含窒素含硫黄有機化合物を抗菌剤として含有する抗菌防黴性水切り袋が提案されている。
しかしながら、上記の抗菌剤類は活性ハロゲンとは異なり、酸化力を有するものではないので、活性ハロゲンに比べて腐敗菌を殺菌する性能が乏しく、また腐敗菌が発生させる悪臭物質を分解することができない。
従って、上記抗菌剤類を含有させた不織布を水切り袋としたものを使用した場合には、不織布自体のヌメリは防止できるものの、排水口周辺のヌメリ取りや脱臭が満足すべきものではない。
【０００５】
なお、特開平８−３０８９１８号公報には固形の活性ハロゲン化剤を不織布に固定化した消臭シートが提案されているが、このシートは大気中に微量の活性ハロゲンガスを徐々に放出し、大気中の悪臭成分を分解除去するという目的のために使用されるものであり、排水フィルターとしての用途に関しては記載されていない。
また、前記活性ハロゲン化剤としてヨウ素化合物は開示されていない。なお、シクロデキストリンに包接したヨウ素化合物は、水と接触した場合には活性ヨウ素を発生するけれども、大気中に含まれる微量の水分と接触した程度では活性ヨウ素を発生せず、大気中の悪臭成分を分解除去するという用途には適さないものである。
【０００６】
【発明が解決しようとする課題】
この発明は、台所や調理場の流し台、浴室、洗面所等の排水口から、残飯、食物片等の生ゴミや毛髪等が配水管に流れ込むのを防止すると共に、排水口付近や配管内のヌメリの除去や脱臭を行うことができる排水フィルターとして好適に使用しうるシートを提供することを目的とする。
【０００７】
【課題を解決するための手段】
前記の課題を解決するために鋭意研究を重ねた結果、水に溶けて活性ハロゲンを放出しうる固形薬剤を二枚の不織布の間に散布し不織布を熱融着し排水フィルター用シートとすることにより、本発明を完成するに至ったものである。
【０００８】
【発明の実施の形態】
以下、本発明を詳細に説明する。
この発明で使用する水に溶けて活性ハロゲンを発生する固形薬剤としては、トリクロロイソシアヌル酸、ジクロロイソシアヌル酸ナトリウム等の塩素化イソシアヌル酸化合物、１−ブロモ−３−クロロ−５，５−ジメチルヒダントインや１，３−ジクロロ−５，５−ジメチルヒダントイン等のハロゲン化ヒダントイン化合物、シクロデキストリンに包接したヨウ素化合物などが挙げられる。
【０００９】
シクロデキストリンに包接したヨウ素化合物の具体例として、ヨウ素や、ポリビニルピロリドン・ヨウ素錯体、アルキルポリエーテルアルコール・ヨウ素錯体、ポリエトキシポリプロポキシポリエトキシエタノール・ヨウ素錯体ノニルフェノキシポリエトキシエタノール・ヨウ素錯体、ポリオキシエチレン付加植物油・ヨウ素錯体、ポリオキシエチレン付加脂肪酸・ヨウ素錯体、ポリオキシエチレン付加脂肪アルコール・ヨウ素錯体、脂肪酸アミド・ヨウ素錯体、第４級有機アンモニウム・ヨウ素錯体等がシクロデキストリンに包接したものが例示される。
【００１０】
なお、シクロデキストリンは環状オリゴ糖とも呼ばれ、王冠のような分子構造を有するため、その分子内の空間に、他の種々の分子を取り込んで，包接化合物をつくることが知られており、この性質を利用して、不安定物質，香料，農薬の安定化剤などに広く用いられているものである。
【００１１】
これらの固形薬剤は、フィルターの使用目的によって適宜使い分けることができる。即ち、比較的高濃度の活性ハロゲンを発生させて短時間で配管や排水口のヌメリ取りや脱臭を行いたい場合には、溶解度の高いジクロロイソシアヌル酸ナトリウムが適している。また、比較的低濃度の活性ハロゲンを発生させて長時間に渡って効果を持続させたい場合には、溶解度の低いトリクロロイソシアヌル酸、ハロゲン化ヒダントイン化合物およびシクロデキストリンに包接したヨウ素化合物が適している。特に長時間持続型のフィルターにおいては、溶解度とシート作成の作業性の点からシクロデキストリンに包接したヨウ素化合物が適している。
【００１２】
水に溶けて活性ハロゲンを放出する固形薬剤の使用量は、不織布１ｍ２当たり５〜１００ｇの範囲が適しており、その使用量が５ｇ／ｍ２未満では、所要量の活性ハロゲンが発生せず、ヌメリ取りや脱臭効果が十分に発揮されない。また、１００ｇ／ｍ２以上になると不織布の融着不良が生じる場合があり、薬剤の固定化も不十分なものとなる。
なお、前記固形薬剤の形状は、粉末状または顆粒状であればよい。
【００１３】
この発明の実施に適する不織布は、融点が１２０〜２００℃程度の熱可塑性樹脂製繊維から製造されるものであり、耐ハロゲン性を備えたものであれば、どのような材質のものであっても構わない。なお、コストおよび不織布の生産性の点で、ポリエステルとポリエチレンまたはポリプロピレンを混繊した複合型の不織布であって、またゴミによる目詰まりを防止する点において、１５〜１００ｇ／ｍ２の目付を有するものが適している。
【００１４】
水に溶けて活性ハロゲンを発生する固形薬剤を二枚の不織布の間に挟持するには、予めヒートシール性を備えた不織布の場合はそのままロール加熱機等を用いて１２０〜２００℃の温度で加熱圧着して熱融着させればよく、またヒートシール性を備えていない不織布の場合には、バインダーとして粉末状やフィルム状のポリエチレン−酢酸ビニル共重合体等の熱可塑性樹脂を不織布の間に挟んで熱圧着すればよい。
【００１５】
このようにして得られたシートを、流し台の三角コーナーや、排水口に設置されている円筒形状のカゴ、また風呂場や洗面台の排水口の形状に合わせて、切断、加工することにより、排水フィルターとして使用することができる。
【００１６】
【実施例】
以下、実施例および比較例によって本発明を詳細に説明するが、本発明はこれらの実施例に制限されるものではない。
なお、実施例および比較例において使用した原材料ならびに評価試験方法は、次の通りである。
【００１７】
［原材料］
▲１▼水に溶けて活性ハロゲンを放出する薬剤
・シクロデキストリンヨウ素包接体；日宝化学社製「ＣＤＩ」（有効ヨウ素量２０％）
・トリクロロイソシアヌル酸；四国化成工業社製
・ジクロロイソシアヌル酸ナトリウム塩；四国化成工業社製
・１−ブロモ−３−クロロ−５，５−ジメチルヒダントイン；Ｌｏｎｚａ社製「ダントブロムＲＷ」
・１，３−ジクロロ−５，５−ジメチルヒダントイン；Ｌｏｎｚａ社製「ダントクロロＲＷ」
▲２▼不織布
・ポリエステル／ポリプロピレン複合型不織布（ヒートシール性あり）；ユニセル社製「メルフィットＢＴ０４０ＥＡ」
・ポリエステル不織布（ヒートシール性なし）；日本バイリーン社製「４０００ＣＲ」
▲３▼バインダー樹脂
・フィルム状ＥＶＡ樹脂；新日本アルク工業社製
【００１８】
［ヌメリ取り試験および脱臭試験］
実施例で作成した排水フィルターを浴室床面にある排水口蓋の上面に両面テープで固定し、１０日間に渡って１日毎の排水口周辺と配管内のヌメリの状況を指触により観察した。ヌメリが認められない状態を○、若干のヌメリが残っている状態を△、試験前と変わらないものを×として判定した。
同様に１日毎の排水口周辺の臭気を嗅ぎ、脱臭効果が認められた状態を○、認められない状態を×と判定した。なお、１日当たりの入浴者数は平均して５名であった。
【００１９】
〔実施例１〜６、比較例１〜３〕
表１に記載した固形薬剤と不織布、また実施例６においてはバインダーを併用してシートを作成した。即ち、不織布の上に表１に記載した量の固形薬剤を均一に散布し、その上から同じ不織布を重ね１５０℃に加熱したロール加熱機に移動速度２．５ｍ／分で通過させ、二枚の不織布を融着させてシートを作成した。
次いで、得られたシートを直径１２ｃｍの円形状に切り出し、該円形シートに直径５ｍｍの穴をほぼ等間隔になるように３０個開けて排水フィルターとした。
この排水フィルターを使用して、ヌメリ取り試験および脱臭試験を行った結果は、表２に示した通りであった。なおこれらの試験期間中においては、毛髪、石鹸カス等が排水フィルターに良好に捕集されていた。
【００２０】
【表１】
2004033868.tif 000002
【００２１】
【表２】
2004033868.tif 000003
【００２２】
表２の試験結果より、ヌメリ取り効果や脱臭効果の速効性を求める用途においては、ジクロロイソシアヌル酸ナトリウム塩を内包した排水フィルターが適しており、また効果の持続性が要求される用途では、トリクロロイソシアヌル酸、ハロゲン化ヒダントイン化合物およびシクロデキストリンに包接されたヨウ素化合物を内包した排水フィルターが適しているものと認められる。
【００２３】
【発明の効果】
本発明のシートは、水に溶けて活性ハロゲンを放出する薬剤を内包しているため、単に排水中のゴミや毛髪等を捕集するだけでなく、排水口周辺や配管内のヌメリ除去や脱臭を行うことができるので、台所や調理場の流し台、浴室、洗面所等の排水フィルターとして好適なものである。
また、使用後の排水フィルターをゴミ袋やゴミ容器の中へ廃棄した場合には、該フィルターに残存する薬剤から放出される活性ハロゲンが生ゴミの腐敗を防止し、またゴミ袋やゴミ容器内の悪臭物質を酸化分解することができるので、ゴミ袋やゴミ容器内の防臭脱臭ができるという利点がある。